(57)【要約】      （修正有）【課題】浴用に適した４０℃前後の温水において効果の高いとされる１０００ｐｐｍの炭酸泉を生成しようとすると、少しの衝撃でも温水中の炭酸ガスが多量に気泡として大気中に抜けてしまうと言う問題があった。これは、経済的にも問題であるだけではなく、入浴者が炭酸ガス中毒になる危険性もあった。【解決手段】ポンプ３により浴槽水や足浴槽水を炭酸ガスが圧力充填された圧力容器１２に噴射送水し、炭酸ガスを効率よく溶解して炭酸泉を生成して浴槽や足浴槽に戻す循環を行う過程で、圧力容器から排出された高圧の炭酸泉を急激な断面積変化のない減圧機構あるいは多孔質部材でできた減圧機構２７で、徐々に減圧することにより、炭酸泉への衝撃を防ぐことができ、必要以上の炭酸ガスの気化を防止する。また、その減圧装置２７の洗浄および交換が簡単に行えるように、炭酸泉の浴槽への供給口（出口）に減圧機構を設け、簡単に着脱できるようにする。【選択図】図１
2006239353.tif 000002
【特許請求の範囲】
【請求項１】
浴槽水や足浴槽水に炭酸ガスを溶解して炭酸泉を生成する工程を有し、ポンプにより浴槽や足浴槽から前記炭酸ガス溶解工程に浴槽水を送水し、炭酸ガスを溶解した後、再び浴槽や足浴槽に戻す循環工程を有し、該炭酸ガス溶解工程が圧力容器に炭酸ガスを大気圧以上の所定の圧力で供給する工程を有し、浴槽水や足浴槽水を炭酸ガスが充填された圧力容器内に噴射および／または散水する工程を有し、該圧力容器から浴槽水や足浴槽水を排水する排水工程を有し、圧力容器内に噴射および／または散水された浴槽水や足浴槽水が圧力容器底部に所定の範囲の水位で貯留する水位維持工程を有し、該炭酸ガス溶解工程からの排水工程において、圧力容器内の圧力から大気圧に徐々に圧力を減圧する工程を有することを特徴とする炭酸泉生成方法
【請求項２】
前記圧力容器内に貯留する浴槽水や足浴槽水を所定の範囲の水位にする水位維持工程が、前記圧力容器底部近傍に排水管路を持ち、該圧力容器内の圧力が所定の値以下のときは排水管路からの排水量よりも該圧力容器への浴槽水や足浴槽水の噴射および／または散水による供給量が多く、該圧力容器内の圧力が所定の圧力を超えると、噴射および／または散水による供給量よりも排水量が多くなる流量調整工程を排水工程に有し、少なくとも該圧力容器内の上下２点の水位を検知する検知手段を有し、上部検知手段が水位を検知すると炭酸ガスの供給を開始し、下部検知手段が水位を検知すると炭酸ガスの供給を停止する炭酸ガス供給調整手段であることを特徴とする請求項１に記載の炭酸泉生成方法
【請求項３】
前記圧力容器内に貯留する浴槽水や足浴槽水を所定の範囲の水位にする水位維持工程が、前記圧力容器底部近傍に排水管路を持ち、常に排水管路からの排水量が該圧力容器への浴槽水や足浴槽水の供給量よりも少ない排水工程を有し、少なくとも該圧力容器内の２点の水位を検知する検知手段を有し、上部検知手段が水位を検知すると浴槽水や足浴槽水の供給を停止し、下部検知手段が水位を検知すると再び供給を開始する工程であることを特徴とする請求項１に記載の炭酸泉生成方法
【請求項４】
前記圧力容器上部に開閉自在の排気手段を有し、排気手段を開放すると共に、該圧力容器内に浴槽水や足浴槽水を送水して、前記圧力容器内を浴槽水や足浴槽水で満たすことにより、圧力容器内の空気を排出することを特徴とする請求項１〜３のいずれか１項に記載の炭酸泉生成方法
【請求項５】
前記圧力容器内に水位を検知する検知手段を少なくとも１つ有し、圧力容器内に炭酸ガスを圧力供給している状態で、該水位検知手段が水位を検知した場合、炭酸ガスの供給が不足していると判断することを特徴とする請求項１〜４のいずれか１項に記載の炭酸泉生成方法
【請求項６】
前記炭酸ガス溶解工程からの排水工程において、圧力容器内の圧力から大気圧に徐々に圧力を減圧する工程が、緩やかな断面積減少と緩やかな断面積増加を有する絞りを１つあるいは複数使用して圧力を少しずつ減少させる工程であることを特徴とする請求項１〜５のいずれか１項に記載の炭酸泉生成方法
【請求項７】
前記炭酸ガス溶解工程からの排水工程において、圧力容器内の圧力から大気圧に徐々に圧力を減圧する工程が、焼結材又は微細球形状材の接合により形成された微細な隙間を多数有する部材に圧力容器からの排水を通過させる工程であることを特徴とする請求項１〜５のいずれか１項に記載の炭酸泉生成方法
【請求項８】
浴槽水や足浴槽水をポンプにより浴槽や足浴槽から前記圧力容器に送水し、炭酸ガスを溶解した後、再び浴槽や足浴槽に戻す循環工程の一部に、浴槽水や足浴槽水を加温する工程を有し、および／または、前記循環工程の一部で前記ポンプの上流側にごみや湯垢を除去する濾過工程を有することを特徴とする請求項１〜７のいずれか１項に記載の炭酸泉生成方法
【請求項９】
浴槽水や足浴槽水をポンプにより浴槽や足浴槽から前記圧力容器に送水し、炭酸ガスを溶解した後、再び浴槽や足浴槽に戻す循環工程において、前記ポンプの下流で少なくとも２つ以上の管路に分岐する分岐工程を有し、分岐工程下流の一方の管路に圧力容器を有し、他方の管路に電動開閉バルブあるいは電動式流量調整バルブなどの流量調整手段を有するか、あるいは、前記分岐工程に各管路への流量を調整できる流量調整手段を有することにより、それぞれの管路を流れる量を調整する流量調整工程を有し、圧力容器からの排水工程に徐々に減圧する工程を有し、圧力容器からの排水管路と前記圧力容器を有さない管路から別々に浴槽や足浴槽に送水するか、該圧力容器の下流で、しかも、圧力容器からの排水を徐々に減圧する工程の下流で圧力容器からの排水管路と前記圧力容器を有さない管路を合流して浴槽や足浴槽に送水することを特徴とする請求項１〜８のいずれか１項に記載の炭酸泉生成方法
【請求項１０】
前記分岐工程下流の圧力容器を有さない管路への送水を行う場合、ポンプの回転数を落として消費電力および騒音を軽減することを特徴とする請求項９に記載の炭酸泉生成方法
【請求項１１】
前記循環工程のいずれかの位置に、次亜塩素酸ナトリウム水溶液や亜塩素酸ナトリウム水溶液、あるいは浴槽水や足浴槽水や足浴槽水に塩化物溶液を含む電解質を添加した後で無隔膜電解することにより生成した次亜塩素ナトリウム水溶液を添加することを特徴とする請求項１〜１０のいずれか１項に記載の炭酸泉生成方法
【請求項１２】
浴槽水や足浴槽水をポンプにより浴槽や足浴槽から前記圧力容器に送水し、炭酸ガスを溶解した後、再び浴槽や足浴槽に戻す循環工程において、前記ポンプの下流で少なくとも２つ以上の管路に分岐する分岐工程を有し、分岐工程下流の一方の管路に圧力容器を有し、他方の管路に電動開閉バルブあるいは電動式流量調整バルブなどの流量調整手段を有するか、あるいは、前記分岐工程に各管路への流量を調整できる流量調整手段を有し、通常は前記電動開閉バルブを開放するか、電動式流量調整バルブあるいは分岐工程の流量調整手段により圧力容器を有さない管路への送水を行い、次亜塩素酸ナトリウム水溶液あるいは亜塩素酸水溶液を添加する場合には、所定の時間だけ前記電動開閉バルブを閉じるか、所定の時間だけ前記電動式流量調整バルブあるいは分岐工程の流量調整手段により浴槽水や足浴槽水を全て圧力容器へ送水し、前記次亜塩素酸ナトリウム水溶液あるいは亜塩素酸水溶液の添加を、所定の時間間隔あるいは決められた時間に所定の時間だけ行う事を特徴とする請求項１１に記載の炭酸泉生成方法
【請求項１３】
圧力容器内に貯留する浴槽水や足浴槽水を所定の範囲の水位にする水位維持工程が、浴槽水や足浴槽水を送水するポンプの下流で少なくとも２つ以上の管路に分岐する分岐工程を有し、分岐工程下流の一方の管路に圧力容器を有し、他方の管路に電動開閉バルブあるいは電動式流量調整バルブなどの流量調整手段を有するか、あるいは、前記分岐工程に各管路への流量を調整できる流量調整手段を有することにより、それぞれの管路を流れる量を調整する流量調整工程を有し、少なくとも該圧力容器内の２点の水位を検知する検知手段を有し、上部検知手段が水位を検知すると、前記電動開閉バルブを開放するか、あるいは電動式流量調整バルブや分岐工程の流量調整手段により圧力容器への送水を少なくし、下部検知手段が水位を検知すると、前記電動開閉バルブを閉鎖するか、あるいは電動式流量調整バルブや分岐工程の流量調整手段により圧力容器への送水を増やす工程であることを特徴とする請求項９〜１２いずれか１項に記載の炭酸泉生成方法
【請求項１４】
浴槽水や足浴槽水に炭酸ガスを溶解して炭酸泉を生成する機構を有し、浴槽水や足浴槽水を浴槽や足浴槽から前記炭酸ガス溶解機構に送水するポンプを有し、炭酸ガスを溶解した浴槽水や足浴槽水を再び浴槽や足浴槽に戻す管路を有する循環管路を有し、前記炭酸ガス溶解機構が、炭酸ガスが充填された圧力容器を有し、該圧力容器に炭酸ガスを大気圧以上の所定の圧力で供給する管路を有し、浴槽水や足浴槽水を炭酸ガスが充填された圧力容器内に噴射および／または散水する機構を有し、該圧力容器内に噴射および／または散水された浴槽水や足浴槽水を排出する排出管路を有し、圧力容器内に噴射および／または散水された浴槽水や足浴槽水が圧力容器底部に所定の範囲の水位で貯留する水位維持機構を有し、該圧力容器からの排水管路に減圧機構を有することを特徴とする炭酸泉生成装置
【請求項１５】
前記圧力容器内に貯留する浴槽水や足浴槽水を所定の範囲の水位にする水位維持機構が、前記圧力容器底部近傍に排水管路を有し、該圧力容器内の圧力が所定の値以下のときは排水管路からの排水量よりも該圧力容器への浴槽水や足浴槽水の噴射および／または散水による供給量が多く、該圧力容器内の圧力が所定の圧力を超えると、噴射および／または散水による供給量よりも排水量が多くなる絞りまたは流量調整機構を排水管路に有し、圧力容器への炭酸ガス供給管路に電動開閉バルブを有し、少なくとも該圧力容器内の上下２点の水位を検知する検知機構を有し、上部検知機構が水位を検知すると前記電動開閉バルブを開放して炭酸ガスの供給を開始し、下部検知手段が水位を検出すると前記電動開閉バルブを閉鎖して炭酸ガスの供給を停止する炭酸ガス供給調整機構であることを特徴とする請求項１４に記載の殺菌水生成装置
【請求項１６】
前記圧力容器内に貯留する浴槽水や足浴槽水を所定の範囲の水位にする水位維持機構が、前記圧力容器底部近傍に排水管路を有し、常に排水管路からの排水量が該圧力容器への浴槽水や足浴槽水の供給量よりも少なくできる絞りあるいは流量調整バルブを排水管路に有し、少なくとも該圧力容器内の２点の水位を検知する検知機構を有し、ポンプの出口側圧力が所定の圧力を超えると自動的に送水をポンプの入り口側に戻すリリーフ機構を具備したポンプを有し、該ポンプの下流に電動開閉バルブを有し、上部検知機構が水位を検知すると前記電動開閉バルブを閉鎖して浴槽水や足浴槽水の供給を停止し、下部検知手段が水位を検知すると前記電動開閉バルブを開放して再び供給を開始する機構であることを特徴とする請求項１４に記載の殺菌水生成装置
【請求項１７】
前記圧力容器内に貯留する浴槽水や足浴槽水を所定の範囲の水位にする水位維持機構が、前記浴槽水や足浴槽水を供給するポンプを有し、前記圧力容器底部近傍に排水管路を有し、常に排水管路からの排水量が該圧力容器への浴槽水や足浴槽水の供給量よりも少なくできる絞りあるいは流量調整機構を排水管路に有し、少なくとも該圧力容器内の２点の水位を検知する検知機構を有し、上部検知機構が水位を検知すると前記ポンプを停止して浴槽水や足浴槽水の供給を停止し、下部検知手段が水位を検知すると前記ポンプを起動して再び供給を開始する機構であることを特徴とする請求項１４に記載の殺菌水生成装置
【請求項１８】
前記圧力容器内に貯留する浴槽水や足浴槽水を所定の範囲の水位にする水位維持機構が、排水管路および／または浴槽水や足浴槽水の供給管路に電動式流量調整バルブを有した機構であることを特徴とする請求項１４に記載の殺菌水生成装置
【請求項１９】
前記圧力容器上部に電動開閉バルブを有する排気管路を有し、該圧力容器が浴槽水や足浴槽水で満たされたことを検知する水位センサーなどの検知機構を有することを特徴とする請求項１４〜１８のいずれか１項に記載の炭酸泉生成装置
【請求項２０】
前記圧力容器内の水位を検知する検知機構を少なくとも１つ有し、炭酸ガス供給管路に電動開閉バルブを有し、該バルブが開放している状態で前記水位検知機構が水位を検知した場合、炭酸ガスの供給が不足していると判断し、警告を出力することを特徴とする請求項１４〜１９のいずれか１項に記載の炭酸泉生成装置
【請求項２１】
前記圧力容器からの排水管路に緩やかな断面積減少後、再び緩やかに断面積が増大する絞りを設けたことを特徴とする特徴とする請求項１４〜２０のいずれか１項に記載の炭酸泉生成装置
【請求項２２】
前記圧力容器からの排水管路に緩やかな断面積減少後、再び緩やかに断面積が増大する絞りを、少なくとも２つ以上設けたことを特徴とする特徴とする請求項１４〜２０のいずれか１項に記載の炭酸泉生成装置
【請求項２３】
前記圧力容器からの排水管路に焼結材又は微細球形状材の接合により形成された多孔質部材の絞りを設けたことを特徴とする特徴とする請求項１４〜２０のいずれか１項に記載の炭酸泉生成装置
【請求項２４】
浴槽水や足浴槽水を浴槽や足浴槽から前記圧力容器に送水して炭酸ガスを溶解した浴槽水や足浴槽水を再び浴槽や足浴槽に戻す管路を有する循環管路の一部に、浴槽水や足浴槽水を加温する機構を有し、および／または、前記循環管路の一部で前記ポンプの上流側にごみや湯垢を除去するフィルターを有することを特徴とする請求項１４〜２３のいずれか１項に記載の炭酸泉生成装置
【請求項２５】
浴槽水や足浴槽水をポンプにより浴槽や足浴槽から前記圧力容器に送水し、炭酸ガスを溶解した後、再び浴槽や足浴槽に戻す循環管路において、前記ポンプの下流で少なくとも２つ以上の管路に分岐する分岐部を有し、分岐部下流の一方の管路に圧力容器を有し、他方の管路に電動開閉バルブあるいは電動式流量調整バルブを有するか、あるいは、前記分岐部に各管路への流量を調整できる電動式流量調整バルブを有し、圧力容器からの排水管路に減圧機構を有し、圧力容器からの排水管路と前記圧力容器を有さない管路から別々に浴槽や足浴槽に送水するか、該圧力容器の下流で、しかも、減圧機構の下流で圧力容器からの排水管路と前記圧力容器を有さない管路を合流して浴槽や足浴槽に送水することを特徴とする請求項１４〜２４のいずれか１項に記載の炭酸泉生成装置
【請求項２６】
前記循環管路のいずれかの位置に、次亜塩素酸ナトリウム水溶液や亜塩素酸ナトリウム水溶液、あるいは塩化物溶液を含む電解質を添加した後で無隔膜電解することにより生成した次亜塩素ナトリウム水溶液を添加する添加部を有し、該添加部には逆流防止機構を有することを特徴とする請求項１４〜２５のいずれか１項に記載の炭酸泉生成装置
【請求項２７】
浴槽水や足浴槽水をポンプにより浴槽や足浴槽から前記圧力容器に送水し、炭酸ガスを溶解した後、再び浴槽や足浴槽に戻す循環管路において、前記ポンプの下流で少なくとも２つ以上の管路に分岐する分岐部を有し、分岐部下流の一方の管路に圧力容器を有し、他方の管路に電動開閉バルブあるいは電動式流量調整バルブを有するか、あるいは、前記分岐部に各管路への流量を調整できる流量調整バルブを有し、通常は前記電動開閉バルブを開放するか、電動式流量調整バルブにより圧力容器を有さない管路への送水を行い、次亜塩素酸ナトリウム水溶液あるいは亜塩素酸水溶液を添加する場合には、所定の時間だけ前記電動開閉バルブを閉じるか、所定の時間だけ前記電動式流量調整バルブにより浴槽水や足浴槽水を全て圧力容器へ送水し、前記次亜塩素酸ナトリウム水溶液あるいは亜塩素酸水溶液の添加を、所定の時間間隔あるいは決められた時間に所定の時間だけ行う事を特徴とする請求項２６に記載の炭酸泉生成装置
【請求項２８】
圧力容器内に貯留する浴槽水や足浴槽水を所定の範囲の水位にする水位維持機構程が、浴槽水や足浴槽水を送水するポンプの下流で少なくとも２つ以上の管路に分岐する分岐部を有し、分岐部下流の一方の管路に圧力容器を有し、他方の管路に電動開閉バルブあるいは電動式流量調整バルブを有するか、あるいは、前記分岐部に各管路への流量を調整できる電動式流量調整バルブを有し、少なくとも該圧力容器内の２点の水位を検知する検知手段を有し、上部検知手段が水位を検知すると、前記電動開閉バルブを開放するか、あるいは電動式流量調整バルブにより圧力容器への送水を少なくし、下部検知手段が水位を検知すると、前記電動開閉バルブを閉鎖するか、あるいは電動式流量調整バルブにより圧力容器への送水を増やすことを特徴とする請求項２５〜２７のいずれか１項に記載の炭酸泉生成装置
【請求項２９】
前記圧力容器からの排水管路の浴槽への出口部に前記絞りあるいは多孔質材の減圧部材を有し、該減圧部材が容易に着脱でき、洗浄および交換が出来ることを特徴とする請求項１４〜２８のいずれか１項に記載の炭酸泉生成装置
【請求項３０】
浴槽水や足浴槽水をポンプにより浴槽や足浴槽から前記圧力容器に送水し、炭酸ガスを溶解した後、再び浴槽や足浴槽に戻す循環管路において、前記ポンプの下流で少なくとも２つ以上の管路に分岐する分岐部を有し、分岐部下流の一方の管路に圧力容器を有し、他方の管路に電動開閉バルブあるいは電動式流量調整バルブを有するか、あるいは、前記分岐部に各管路への流量を調整できる電動式流量調整バルブを有し、圧力容器からの排水管路の浴槽への出口部に前記減圧部材を有し、該減圧部材を有した出口部と、もう一方の管路の浴槽への出口部と、浴槽から浴槽水や足浴槽水を取込む給水口とさらに給水口直後に設けられたフィルターが、１つのユニットに収められており、該フィルターおよび減圧部材が容易に着脱できることを特徴とする請求項２５〜２９のいずれか１項に記載の炭酸泉生成装置
【発明の詳細な説明】
【技術分野】
【０００１】  本発明は、浴槽や足浴槽の温水を過熱、保温、ろ過などを行う循環管路において、炭酸ガスを溶け込ませて前記浴槽水や足浴槽水中の炭酸ガス溶存濃度を高め、極めて高濃度の人工炭酸泉を生成する技術に関するものである。【０００２】  本発明は、炭酸ガスを充填した圧力容器内に浴槽水や足浴槽水を噴射および／又は散水して、浴槽水や足浴槽水中の溶存炭酸ガス濃度を高めて、天然の炭酸泉と同等かそれ以上の治療効果を有する人工炭酸泉を生成することができる技術に関するものである。【０００３】  また、特に家庭用の２４時間風呂や足浴装置に適した人口炭酸泉装置の技術に関するもので、高濃度の炭酸濃度を実現すると共に、浴槽や足浴槽の温水の効果的な殺菌方法も併せ持つ方法および装置に関するものである。
【背景技術】
【０００４】  従来から、さまざまな名称の家庭用炭酸泉浴用剤の投入により得られる炭酸泉が知られているが、これらは重炭酸ナトリウムに有機酸を混合して加熱水中で炭酸ガスを生成させるものであった。また、炭酸ガス入り飲料の生成技術としては、古くから冷却した水の中に炭酸ガスを吹き込む形の高濃度炭酸水生成方法が知られていた。
また、炭酸水生成方法で別の生成方法としては炭酸ガス空間に散水して炭酸ガスを溶け込ませ、飲料用の炭酸水を生成する方法などが知られていた。【０００５】  人体の皮膚は、冷水に触れたときに体温の低下を防ぐために毛細血管の収縮が起こり、皮膚近傍での血流が減少する。これに対して、適度な温度の炭酸ガス含有加熱水に肌が接すると、皮膚の下に炭酸ガスが浸透して酸素欠乏状態になり、この酸素欠乏状態の信号を受けた毛細血管は大量の血液を流せるように毛細血管の入口を開き、この結果、皮膚近傍の血流が増大し、皮膚の紅潮現象となって現れる。このメカニズムが、炭酸含有加熱水の浴用効果と考えられている。ここに、温泉として適温である４０〜４２℃程度の温度での炭酸ガスの飽和溶存濃度は約１０００ｐｐｍである。【０００６】  炭酸泉は、保温効果に優れた皮膚に優しい温泉として世界的に知られている。このことだけでなく、高濃度の炭酸含有加熱水は治療効果があると認識され始めている。例えば、糖尿病患者に多く見られるように、例えば足のキズが悪化して壊死状態になり、このため足の切断手術が必要になる事例が世界的に増加しているが、このような事例に対して高濃度炭酸含有加熱水に入浴する治療方法が効果的であると考えられている。【０００７】  炭酸泉の生成方法としては、ガス透過性中空糸を使った炭酸泉生成装置が提案されている。この炭酸泉生成装置は、中空糸を収容した炭酸ガス溶解器と浴槽とが循環管路で連結され、ポンプで浴槽から汲み上げた温水を炭酸ガス溶解器の中に供給し、炭酸ガス溶解器で炭酸ガスを溶解させて高濃度の炭酸泉を生成して、これを浴槽に供給するようになっている。【０００８】また、この炭酸泉生成装置は、浴槽内に設置した濃度センサーを有し、この濃度センサーで浴槽内の炭酸泉の炭酸ガス濃度を検知して、炭酸ガス溶解器に供給する炭酸ガスの流量を制御することを提案している。【０００９】  また、他の形式の炭酸泉生成装置の提案もある。この炭酸泉生成装置は、圧力タンク内に温水を送水し、この圧力タンク内で、圧力下で炭酸ガスをバブリングすることにより温水に炭酸ガスを溶解させて炭酸泉を生成する方法である。【００１０】  さらに、他の装置としては、浴槽から温水を取り出す管路に炭酸ガスを供給して温水と炭酸ガスとを合流させた後にポンプの吸い込み口からポンプ内に入れ、このポンプで炭酸ガスと温水とを混合させて炭酸ガスを温水に溶解させて炭酸泉を生成し、ポンプから送り出される炭酸泉をタンクに供給して、このタンクで未溶解の炭酸ガスを回収した後にタンクの底から炭酸泉を浴槽に戻す構成を採用している。【００１１】また、この炭酸泉生成装置は、タンクと浴槽との間の配管に絞りが設けられ、タンク内の炭酸ガスの増加に伴ってタンク内の炭酸泉の水位が低下すると電磁弁を開いてタンクから炭酸ガスを排出し、タンク内の炭酸泉の水位が増加すると電磁弁を閉じる制御が行われる。【００１２】  さらに、他の装置としては、圧力容器内に炭酸ガスを圧力充填し、ポンプにより、その圧力容器内に浴槽水を噴射あるいは散水して炭酸ガスを溶解して炭酸泉を生成し、その炭酸泉を浴槽に戻す循環工程を用いて炭酸泉を生成する装置が提案されている。
【発明が解決しようとする課題】
【００１３】  浴用に適する４０℃前後の温水における大気圧での炭酸ガスの飽和溶解濃度は約１０００ｐｐｍで、最も効果があるとされる１０００ｐｐｍの炭酸泉を生成しようとすると、飽和溶解濃度の炭酸水を生成することになる。
【００１４】  炭酸ガスを浴槽水や足浴槽水に溶解して１０００ｐｐｍ程度の炭酸泉を生成する場合は、大気圧以上に加圧された状態で炭酸ガスを浴槽水や足浴槽水に溶解させる方法が一般的である。
【００１５】  すなわち、圧力下においては、飽和溶解濃度は増大するため、大気圧における飽和溶解濃度よりも高い濃度の炭酸泉を生成することが出来る。しかし、最終的には浴槽や足浴槽に戻した時点で減圧されるため、過飽和状態の炭酸泉中に含まれる余分な炭酸ガスは大気中に放出される。
【００１６】  さらに、飽和状態の炭酸泉は僅かな衝撃で溶解している炭酸ガスが気化するため、過飽和の余分な炭酸ガスのみならず、炭酸泉中の炭酸ガスが気化してしまう現象が起きる。つまり、急激な圧力減少や管路断面積の変化により過度に気化した炭酸ガスは泡となって、炭酸泉と一緒に浴槽に排出され、最終的には大気中に放出される。
【００１７】  これは、炭酸泉の濃度が低下するばかりか、多量の炭酸ガスが浴室内に放出されるため、入浴者が炭酸ガス中毒を起こす危険性も含んでいる。
【課題を解決するための手段】
【００１８】  本発明の１つは、浴槽水や足浴槽水をポンプにより炭酸ガスが充填された圧力容器に送水し、送水された浴槽水や足浴槽水を圧力容器内に噴射や散水して炭酸ガスを溶解したのち、再び浴槽や足浴槽に戻す循環システムを形成し、圧力容器内に炭酸ガスを供給すると共に、圧力容器内の炭酸ガスが浴槽に逃げないように、噴射や散水された浴槽水や足浴槽水を圧力容器の底部に所定の水位で貯留するようになされている。
【００１９】  そして、その圧力容器の排水管路に断面積が緩やかに減少した後、緩やかに増加する絞り状の減圧機構を有するものである。この緩やかな断面積変化を有する絞りにより、乱流が起きるのを防止すると共に、急激な圧力変化を起こさないように徐々に減圧して、炭酸泉に衝撃を加えずに圧力容器内の圧力から大気圧近傍までゆっくりと減圧する物である。
【００２０】  本発明の２つ目は、圧力容器からの排水管路に緩やかな断面積変化を有する前記の減圧機構を複数直列に設置し、それぞれの減圧機構の前後で、少しずつ圧力を落とす方法である。
【００２１】  本発明の３つ目は、圧力容器からの排水管路に多孔質部材を設け、圧力容器からの排水を、その多孔質部材内を通過させることにより、緩やかに減圧する方法を提案している。
【００２２】  また、これらの減圧機構を浴槽への出口部に設けて、定期的に洗浄あるいは交換する構造とすることもあわせて提案している。
【発明を実施するための最良の形態】
【００２３】  図１〜９を用いて、本発明の実施例を説明する。
図１は、本発明の代表的な実施例であり、浴槽１内にフィルター２と圧力容器１２からの排水口に設けられた減圧機構２７と管路１０３からの排水口を内臓した浴槽内ユニットを有し、フィルター２の下流に浴槽１から浴槽水を吸い上げるポンプ３を有し、ポンプ３で給水口３２から吸い上げられた浴槽水は、フィルター２で濾過された後、ポンプ３下流のヒーター４で加温される。【００２４】  ここで、フィルターや減圧機構２７は浴槽の外でも良く、フィルターと減圧機構と管路１０３の排水口が１つのユニットになっていなくても良い。【００２５】  そして、ヒーター４下流の分岐部５で、３つの管路１０１，１０２，１０３に分岐送水される。管路１０２に送水された浴槽水は電動開閉バルブ４３が開放されると、岩塩などが入った電解質添加部６で電解質を溶解し、無隔膜電解槽７に送水される。【００２６】  さらに、無隔膜電解槽７で電気分解されて次亜塩素酸ナトリウム水溶液となり、管路１１０を介して添加部８で浴槽から吸い上げられた浴槽水に合流する。このとき、無隔膜電解槽７を流れる流量が多いと、電解効率が低下するため、管路１１０には絞り４７が設けられ、電解流量を適正な流量に制限する。【００２７】  一方、管路１０１に送水された浴槽水は、逆止弁４９を通って圧力容器１２上部の空間９に送水され、噴射孔１０から炭酸ガスが充填された空間１１に噴射され、炭酸ガスを溶解して炭酸泉となる。この時、噴射孔１０からの噴射流は、少なくとも２つの噴射孔１０からの噴射がお互いに衝突するようにされていると、噴射された浴槽水が空間１１内で細かい水滴となり、炭酸ガスの溶解が容易に出来て、さらに良い。また、噴射孔１０は単なる穴になっているが、噴射された噴射流を霧状にする噴霧ノズルであっても良い。【００２８】  また、炭酸ガスは、炭酸ガスボンベ１９から手動バルブ２０を介して、減圧弁２１および２２で減圧されたのち圧力容器１２内の空間１１に大気圧以上の所定の圧力で供給される。【００２９】  圧力容器１２内で炭酸ガスを含有した浴槽水は、炭酸泉となり圧力容器１２の底部に貯留し、排水管路１０６により浴槽に戻される。この時、排水管路の浴槽への出口部に設けられた減圧機構により、圧力容器１２内の圧力から、ほぼ大気圧に減圧される。【００３０】  また、管路１０３に送水された浴槽水は電動開閉バルブ２９が開放されると、そのまま浴槽に戻る。
逆止弁４９は、ポンプ３が停止した場合や、電動開閉バルブ２９が開放されて浴槽水が管路１０３に送水されたときに管路１０１内の圧力が低下することにより、圧力容器１２内の炭酸ガスが管路１０１を逆流するのを防止する。【００３１】  次に、準備動作について説明する。
まず、電動開閉バルブ２３、２９、４３を閉じ、電動開閉バルブ２５を開放する。管路１０２と１０３の電動開閉バルブ４３と２９を閉じた状態で、ポンプにより送水された浴槽水は全てが管路１０１に送水され、さらに、圧力容器１２の空間９に送られ、噴射孔１０から空間１１に噴射送水され、圧力容器１２の下部に貯留する。【００３２】  ここで、排水管路１０６出口に設けられた減圧機構２７により、空間１１の圧力が大気圧のときは、噴射孔１０から空間１１に噴射送水される浴槽水よりも圧力容器から排出される浴槽水が少なくなり、空間１１の圧力が所定の圧力以上になると、噴射孔１０から空間１１に噴射送水される浴槽水よりも圧力容器から排出される浴槽水が多くなるようになされている。【００３３】  これにより、圧力容器内の炭酸泉の水位が上昇すると共に、フロート１３が上昇し、空間１１内の空気は管路１０５を通って、合流部２６を介して排水管路１０６に送られ、圧力容器１２から排出される炭酸泉に混ざり浴槽１内に排出される。フロート１３にはマグネット１４が取り付けられており、このマグネット１４により、圧力容器１２の側面に設けられたリミットスイッチ１５、１６，１７，１８が順番に反応する。【００３４】  最も高い位置のリミットスイッチ１８が反応したら、電動開閉バルブ２５を閉鎖すると共に、電動開閉バルブ２９を開放し、ポンプ３により送水される浴槽水を管路１０３を通して浴槽に戻す循環運転にすると共に、ポンプの回転数を下げて、初期動作が完了したことを表示する。このとき、ポンプの回転数を下げても、管路１０３の抵抗が少ないため、ポンプによる循環水量は減少せず、場合によっては、全量を圧力容器１２に送水しているときよりも増大する。そして、消費電力および騒音ともに軽減される。この一連の動作により、空間１１内の空気が完全に排出された状態となる。【００３５】  この時、圧力容器への炭酸ガスの供給は行われていないが、ポンプ３により送水される浴槽水の一部は管路１０１を介して、圧力容器１２にも送水されており、圧力容器内に浴槽水が淀むことが無いようになされている。【００３６】  次に、高濃度の炭酸泉を生成する動作を説明する。
炭酸泉の生成ボタン（図示せず）が押されると、ポンプ３の回転数を所定の回転に上げると共に、電動開閉バルブ２９を閉鎖して、ポンプ３から送水される浴槽水の全てを圧力容器１２へ送水する。さらに、リミットスイッチ１８が反応していない場合は、電動開閉バルブ２５を開放しリミットスイッチ１８が反応するまで待ち、電動開閉バルブ２５を閉鎖すると共に、電動開閉バルブ２３を開放して炭酸ガスボンベ１９より炭酸ガスを圧力容器１２内の空間１１へ大気圧以上の所定の圧力で供給する。これにより、空間１１内の気体は、ほぼ炭酸ガスだけになる。【００３７】  圧力容器１２内の水位は、供給された炭酸ガスの圧力により徐々に下がり、それに伴いフロート１３も下降して、リミットスイッチ１７、１６の順に反応する。リミットスイッチ１６が反応したら、電動開閉バルブ２３を閉鎖して炭酸ガスの供給を止める。すると、噴射孔１０から噴射された浴槽水が空間１１内の炭酸ガスを溶解して空間１１内の圧力が徐々に下がり、水位は再び上昇する。リミットスイッチ１７が反応したら、再び電動開閉バルブ２３を開放して炭酸ガスを供給する。すると、再び水位が下降し始める。【００３８】  これらの動作により、圧力容器１２内の水位はリミットスイッチ１６と１７の間に保たれ、生成された炭酸泉は排水管路１０６を通って浴槽に戻される。【００３９】  浴槽水はポンプ３により再び吸引され、炭酸ガスを溶解した後に浴槽に戻され、この繰り返しにより浴槽水全体の炭酸ガス濃度が上昇し、高濃度の炭酸泉となる。【００４０】  次に、高濃度の炭酸泉を生成する場合のもう一つの動作について説明する。
この場合は、ポンプ３により全ての浴槽水が圧力容器１２に送水されていて、圧力容器１２に炭酸ガスが圧力供給されている状態でも、排水管路１０６の出口部に設けられた減圧機構２７により、噴射孔１０から噴射される浴槽水が圧力容器１２から排水される浴槽水よりも多くなるようになされている。【００４１】  炭酸泉の生成ボタン（図示せず）が押されると、ポンプの回転数を所定の回転に上げる。そして、リミットスイッチ１８が反応していない場合は、電動開閉バルブ２５を開放し、リミットスイッチ１８が反応するまで待ち、電動開閉バルブ２５を閉鎖すると共に電動開閉バルブ２３を開放して炭酸ガスボンベ１９より炭酸ガスを圧力容器１２内の空間１１へ大気圧以上の所定の圧力で供給するとともに、電動開閉バルブ２９を適度に開放して、管路１０３へも送水する。【００４２】  すると、圧力容器１２へ送水される浴槽水の水量が減少するので、圧力容器１２内の水位は徐々に下がり、それに伴いフロート１３も下降して、リミットスイッチ１７、１６の順に反応する。リミットスイッチ１６が反応したら、電動開閉バルブ２９を閉鎖してポンプ３により送水される浴槽水を全て圧力容器１２に送水する。すると、圧力容器１２に送水される浴槽水の水量が増加し水位は再び上昇する。リミットスイッチ１７が反応したら、再び電動開閉バルブ２９を適度に開放して浴槽水を管路１０３にも送水する。すると、再び水位が下降し始める。【００４３】  これらの動作により、圧力容器１２内の水位はリミットスイッチ１６と１７な間に保たれ、生成された炭酸泉は排水管路１０６を通って浴槽に戻される。【００４４】  浴槽水はポンプ３により吸引され、炭酸ガスを溶解した後に浴槽に戻され、この繰り返しにより浴槽水全体の炭酸ガス濃度が上昇し、高濃度の炭酸泉となる。【００４５】  また、上記２つの動作における高濃度炭酸泉生成状態においては、常に所定の時間だけ電動開閉バルブ４３を開放して、次亜塩素酸ナトリウム水溶液を生成して浴槽水に添加して、浴槽水の殺菌を行うと良い。【００４６】  これとは別に、浴槽水の殺菌状態を維持するために、所定の時間間隔で以下に記載する殺菌運転を行う。すなわち、ポンプ３の回転数を所定の回転に上げると共に、電動開閉バルブ２９を閉鎖して、ポンプ３から送水される浴槽水の全てを圧力容器１２へ送水する。さらに、リミットスイッチ１８が反応していない場合は、電動開閉バルブ２５を開放して、リミットスイッチ１８が反応するまで待ち、電動開閉バルブ２５を閉鎖すると共に、電動開閉バルブ２３と４３を開放して、炭酸ガスボンベ１９より炭酸ガスを圧力容器１２内の空間１１へ大気圧以上の所定の圧力で供給すると共に、浴槽水の一部を管路１０２へ送り無隔膜電解槽で次亜塩素酸ナトリウム水溶液を生成して、添加部８により浴槽水に添加する。【００４７】  次亜塩素酸ナトリウム水溶液が添加された浴槽水はポンプ３により圧力容器１２に送られ、炭酸ガスが添加されて弱酸性になり、殺菌効果を増強されて再び浴槽に戻される。また、この時、圧力容器１２内の水位維持は前記２つの方法いずれかで行う。【００４８】  この場合、高濃度炭酸泉を生成することが目的ではなく、浴槽水を弱酸性にすることが目的なの��、所定の時間経過後に、ポンプの回転数を下げると共に、電動開閉バルブ２３を閉鎖して炭酸ガスの供給を止め、電動開閉バルブ２９を開放して浴槽水の大半を管路１０３に送る循環動作に戻す。【００４９】  ただし、電動開閉バルブ４３は開放状態を保ち、次亜塩素酸ナトリウム水溶液の添加は続ける。そして、さらに所定の時間が経過したのち電動開閉バルブ４３を閉鎖して次亜塩素酸ナトリウム水溶液の生成と添加を停止する。【００５０】  もちろん、必要に応じて、前記次亜塩素酸ナトリウム水溶液の添加を行っている間は常に炭酸泉の生成を行っても良いし、間欠的に炭酸泉の生成を行っても良い。この殺菌運転により、浴槽水は常に殺菌されてクリーンな状態を保つことが出来る。【００５１】  炭酸泉生成運転時に圧力容器１２内の水位が上がり、リミットスイッチ１８が反応すると、供給される炭酸ガスの圧力が不足しているとして、炭酸ガス供給不足の警告を表示する機能も有している。【００５２】  また、フロート１３の底部に弾性体４５を有し、万が一圧力容器１２内の水位が下降してフロートが圧力容器１２の最下部まで下がっても、弾性体４５により圧力容器底部の排水口４６を閉鎖し、圧力容器１２内の炭酸ガスが浴槽１に排出するのを防ぐ。【００５３】  次に図２は、減圧機構２７が浴槽外にある場合の実施例で、圧力容器１２の直後に設けられている。そして、減圧機構が２つ直列に設けられている実施例である。これにより、１つ目の減圧機構で圧力容器１２内の圧力と大気圧の間の圧力に減圧し、２つ目の減圧機構で、さらに大気圧近傍の圧力まで減圧する。【００５４】  圧力容器１２内で生成された炭酸泉は、急激に減圧されないため、必要以上に炭酸ガスが炭酸泉中から抜けることがない。減圧機構１７は、緩やかな断面積変化を有する長いオリフィスであれば１つでも良いし、３つ以上の減圧機構を設けてさらにゆっくりと減圧しても良い。【００５５】  また、減圧機構２７は管路１１６に設けても良いし、複数の減圧機構２７を、管路１０６と１１６のそれぞれの管路に設けても良い。【００５６】  さらに、図２においては、管路１０３は合流部２８により圧力容器１２の排水管路に連結されており、電動開閉バルブ２９を開放すると、ポンプにより送水された浴槽水は圧力容器１２からの排水とともに、浴槽１に戻るようになっているが、図１同様に排水管路１０８とは別に浴槽に戻るようになっていても良い。【００５７】  次に図３および４を用いて、高濃度炭酸泉生成動作における圧力容器１２内の水位をリミットスイッチ１６と１７の間に維持する動作に関して、別の動作を説明する。【００５８】  図３においては、圧力容器１２の上流の管路１０１に電動開閉バルブ３７を有しており、さらに、ポンプ３はポンプ出口圧力が所定の圧力を超えると自動的にポンプ３からの送水がポンプ３の入口側に戻るリリーフ機能を有し（図示せず）、炭酸ガスを供給する電動開閉バルブ２３は開放状態、管路１０３の電動開閉バルブ２９は閉鎖状態を維持し、圧力容器１２内の水位が変動してリミットスイッチ１７が反応すると、電動開閉バルブ３７を閉鎖して圧力容器への送水を遮断し、リミットスイッチ１６が反応すると、電動開閉バルブ３７を開放して、送水を再開する動作である。【００５９】  図４は、圧力容器１２の給水側と排水側の管路に設けられた電動式流量調整バルブにより圧力容器に供給される水量、あるいは、排水される水量を調整して、圧力容器１２内の水位を維持する実施例である。【００６０】  ポンプ３の直後に電動式流量調整バルブ３８を有し、排水管路１０８には電動式流量調整バルブ３９を有し、圧力容器のリミットスイッチ１７が反応すると、電動式流量調整バルブ３８を絞って送水量を減らすか電動式流量調整バルブ３９を開いて排水量を増やし、リミットスイッチ１６が反応したら、電動式開閉バルブ３８を開いて送水量を増やすか電動式流量調整バルブ２９を絞って排水量を減らすことにより圧力容器１２内の水位を維持する動作である。【００６１】  この場合、可能であれば、電動式流量調整バルブ３８および３９はどちらか１つであっても良い。【００６２】  次に図５〜８を用いて、減圧機構２７の具体例を説明する。
図５は入り口および出口共に断面積変化が非常に緩やかな絞り状の減圧機構であり、この減圧機構を流れる炭酸泉が本絞り機構により減圧されるときに、層流状態を保てる形状となっており、乱流による渦流を防止した構造となっている。【００６３】  図６は図５に対して絞り形状の出口だけが緩やかな断面積変化部を有しており、絞りの下流での乱流発生を防止している。期待する効果は図５と同様である。【００６４】  図７は焼結材料やスポンジあるいは微細球形状材の接合のように内部に無数の隙間がある多孔質を管路途中に設けたものである。この多孔質を通って流れる炭酸泉は多孔質の抵抗により減圧されるが、渦流の発生が無く、多孔質の入り口から出口に掛けて徐々に減圧されるため、炭酸泉に衝撃が加わることがない。したがって、この場合も溶解している炭酸ガスが大きな気泡になるのを防ぐ効果がある。【００６５】  図８は図７と同様の多孔質で作られた円筒を用いた実施例で、円筒の一端がケース３５に液蜜に挿入されており、多端にフタ３４が挿入されている。したがって、炭酸泉はこの円筒の外側から内側に向かって通過し、この時全体的にやわらかく減圧される。【００６６】  この場合、円筒を長くすることにより、炭酸泉が通過する多孔質の通過面積を大きく取れるので、浴槽水などのように汚濁物質を含んだ炭酸泉でも、目詰まりしにくい特徴がある。【００６７】  最後に、図９により図１に示した浴槽内ユニットの１つの実施例を紹介する。
浴槽水は第１フィルター３６で髪の毛や大きなゴミが取り除かれ、第２フィルター４０に送られる。そして第２フィルター４０で細かいゴミや湯垢などが取り除かれた後ポンプに吸引される。【００６８】  圧力容器１２から戻ってきた炭酸泉は出口部に設けられた筒状の多孔質材で減圧された後、浴槽内に戻される。また、図１に示した電動開閉バルブ２９を開放することにより管路１０３に送られた浴槽水は排水口３１から浴槽へ戻される。【００６９】  このように、圧力容器１２からの排水と管路１０３からの排水を別々の出口部から浴槽に戻すことにより、圧力容器１２からの排水、すなわち炭酸泉は出口部に設けられた多孔質材３３の直前まで大気圧以上の圧力を維持して送水されるため、炭酸泉中の炭酸ガスが抜けにくい状態になっており、多孔質材３３でやわらかく減圧されて浴槽に戻るため、この減圧部分でも必要以上の炭酸ガスが炭酸泉から抜け出さない構造となっている。
そして、一方の管路１０３からの排水は多孔質材３３を通らないので、管路内圧力が高くならず、ポンプの回転数が低回転でも容易に循環送水ができる。【００７０】  ここで、第１フィルター３６および第２フィルター４０は、カバー４１および４２を外すことで、容易に取り出して洗浄あるいは交換が出来るようになっており、装置本体のカバーをあけてフィルターを取り出す必要がない。また、多孔質材３３もねじ込み式になされているソケット４４を外すと、ソケット４４と共に取り外すことができ、多孔質材３３の周囲についたゴミや湯垢などを除去するために、単体で洗浄あるいは交換が簡単にできるようになっている。【００７１】  図３および４では、管路１０３は直接浴槽に戻るようになっているが、図１あるいは９に示されるように浴槽内ユニットに接続されていても良いし、図２に示すように、圧力容器１２の排水管路１０６と合流していても良い。【００７２】  また、上記のすべての実施例においては、次亜塩素酸ナトリウム水溶液の添加が、無隔膜電解槽により生成された次亜塩素酸ナトリウム水溶液を用いているが、無隔膜電解槽を用いずに、タンクに充填された次亜塩素酸ナトリウム水溶液を添加しても良いし、亜塩素酸ナトリウム水溶液を添加しても良い。【００７３】  さらに、上述の全ての実施例では、圧力容器１２内の水位に検出が、マグネット１４を有したフロート１３とリミットスイッチ１５〜１８により行われているが、液面を直接検出できるセンサーなどの、その他の検出機器を用いてもかまわない。【００７４】  また、上述の全ての実施例では、浴槽１を例に挙げて説明しているが、浴槽は足浴槽でも、その他の温水を貯留する容器でもかまわない。
【発明の効果】
【００７５】  本発明により、大気圧以上の圧力下で炭酸ガスが溶解された炭酸泉を、浴槽と同じ大気圧に減圧する工程で、必要以上に炭酸ガスが液中から抜けることが無く、炭酸ガスの無駄を極限まで少なくすることができ、経済的な効果が大きい。
【００７６】  また、多量の炭酸ガスが浴槽水から抜けて、浴槽内の水面近傍に炭酸ガスが淀み、入浴者が炭酸ガス中毒を起こすような危険性も回避できる。
【００７７】  本発明により、浴槽水のような、ある意味汚れた温水であっても、循環管路や減圧機構において目詰まりを起こすことがなく、循環して炭酸ガスを溶解させることにより手軽に高濃度の炭酸泉を生成することが出来き、フィルターや減圧機構の洗浄や交換程度のメンテナンスで、長期間初期の性能を保つことが出来る。
【００７８】  また、次亜塩素酸ナトリウム水溶液や亜塩素酸水溶液は、それ自体がアルカリ性であり、殺菌力があまり強くないため多量に入れなければ十分な効果が得られなかったが、本発明のように、炭酸ガスを溶解した温水と共に使用すると、弱酸性の次亜塩素酸水溶液あるいは亜塩素酸水溶液となり、低濃度でも十分な殺菌効果が得られ、不快な塩素臭もほとんど無くなる。
【００７９】  そして、２４時間風呂のようなヒーターとフィルターを介して循環濾過しながら浴槽水を保温する場合においても、温水が強力な次亜塩素酸や亜塩素酸により常に殺菌されているため、フィルターや管路における菌の繁殖も防止され、熱湯によるフィルターや管路の殺菌、あるいは、幾重ものフィルターを使用して頻繁にフィルターを交換する必要もなくなる。
【００８０】    したがって、本発明により、一般家庭においても２４時間保温されたクリーンな風呂を、欲しいときにいつでも簡単に高濃度炭酸泉にすることができるようになり、高齢化とストレスが進む現代社会に不可欠な商品を安価に提供できるようになる。
【図面の簡単な説明】
【００８１】
【図１】本発明の代表的な実施例を示す
【図２】減圧機構を圧力容器直後に複数有する実施例
【図３】圧力容器の水位維持を送水を遮断して行う実施例を示す
【図４】圧力容器の水位維持を循環管路の流量を制御して行う実施例を示す
【図５】減圧機構の第１の具体例を示す
【図６】減圧機構の第２の具体例を示す
【図７】減圧機構の第３の具体例を示す
【図８】減圧機構の第４の具体例を示す
【図９】浴槽内ユニットの詳細な説明図を示す
【符号の説明】
【００８２】１  浴槽、２  フィルター、３  ポンプ
４  ヒーター、５  分岐部、６  電解質添加部
７  無隔膜電解槽、８  添加部、９  空間、１０  噴射孔
１１  空間、１２  圧力容器、１３  フロート
１４  マグネット、１５  リミットスイッチ、１６  リミットスイッチ
１７  リミットスイッチ、１８  リミットスイッチ
１９  炭酸ガスボンベ、２０  手動バルブ、２１  減圧弁
２２  減圧弁、２３  電動開閉バルブ、２４  逆止弁
２５  電動開閉バルブ、２６  合流部、２７  減圧機構
２８  合流部、２９  電動開閉バルブ、３０  浴槽内ユニット
３１  排水口、３２  給水口、３３  多孔質材
３４  フタ、３５  ケース、３６  第１フィルター
３７  電動開閉バルブ、３８  電動式流量調整バルブ
３９  電動式流量調整バルブ、４０  第２フィルター
４１  カバー、４２  カバー、４３  電動開閉バルブ
４４  ソケット、４５  弾性体、４６  排水口
４７  絞り、４８  分岐部、４９  逆止弁
１０１〜１０５：管路、１０６  排水管路、１０７  管路
１０８  排水管路、１０９〜１１６  管路
【図１】
2006239353.tif 000003
【図２】
2006239353.tif 000004
【図３】
2006239353.tif 000005
【図４】
2006239353.tif 000006
【図５】
2006239353.tif 000007
【図６】
2006239353.tif 000008
【図７】
2006239353.tif 000009
【図８】
2006239353.tif 000010
【図９】
2006239353.tif 000011